(57)【特許請求の範囲】
【請求項１】
表示部に表示された、商品に関する画像を含む第１のメニュー画面に対してユーザから操作を受け付ける受付部と、
前記第１のメニュー画面に対するユーザの視線および操作に基づいて、前記視線が停留し、前記ユーザからの商品選択操作を受け付けなかった商品を特定し、特定した前記商品の特徴を含まない商品を決定して、第２のメニュー画面の表示内容を決定する決定部と、
前記表示部の表示内容を、前記表示内容が決定された前記第２のメニュー画面に切り替える切替部と
を有することを特徴とする画像表示装置。
【請求項２】
前記決定部は、
前記視線が停留し、前記ユーザからの商品選択操作を受け付けなかった商品を特定する特定部と、
前記特定部が特定した前記商品の特徴を抽出する抽出部と、
前記抽出部が抽出した前記特徴に基づき、商品を決定する商品決定部と、を有し、
前記切替部は、
前記商品決定部が決定した前記商品に関する画像を含む前記第２のメニュー画面に切り替える、
ことを特徴とする請求項１に記載の画像表示装置。
【請求項３】
前記抽出部は、前記商品の詳細情報を含む画面に対するユーザの視線に基づき、前記商品の特徴を抽出する、
ことを特徴とする請求項２に記載の画像表示装置。
【請求項４】
前記商品決定部は、前記抽出部が抽出した前記特徴を含まない商品を決定する、
ことを特徴とする請求項２または３に記載の画像表示装置。
【請求項５】
前記商品決定部は、前記視線の停留位置、停留時間および軌跡の少なくとも１つに基づいて前記商品を決定する、
ことを特徴とする請求項２〜４のいずれか１つに記載の画像表示装置。
【請求項６】
表示部に表示された、商品に関する画像を含む第１のメニュー画面に対してユーザから操作を受け付け、
前記第１のメニュー画面に対するユーザの視線および操作に基づいて、前記視線が停留し、前記ユーザからの商品選択操作を受け付けなかった商品を特定し、特定した前記商品の特徴を含まない商品を決定して、第２のメニュー画面の表示内容を決定し、
前記表示部の表示内容を、前記表示内容が決定された前記第２のメニュー画面に切り替える、
処理をコンピュータが実行することを特徴とする表示制御方法。
【請求項７】
表示部に表示された、商品に関する画像を含む第１のメニュー画面に対してユーザから操作を受け付け、
前記第１のメニュー画面に対するユーザの視線および操作に基づいて、前記視線が停留し、前記ユーザからの商品選択操作を受け付けなかった商品を特定し、特定した前記商品の特徴を含まない商品を決定して、第２のメニュー画面の表示内容を決定し、
前記表示部の表示内容を、前記表示内容が決定された前記第２のメニュー画面に切り替える、
処理をコンピュータに実行させることを特徴とする表示制御プログラム。
【発明の詳細な説明】
【技術分野】
【０００１】
本発明は、画像表示装置、表示制御方法および表示制御プログラムに関する。
【背景技術】
【０００２】
近年、表示部に商品に関する画像の一覧を表示することで、ユーザが表示された一覧から商品を選択し、選択した商品を購入する手法がある。ユーザに対して商品一覧を表示する手法として、ユーザの視線を利用するものがある。例えば、ユーザが注視している商品を検出し、検出した商品を商品一覧画面内の別領域に表示する。
【先行技術文献】
【特許文献】
【０００３】
【特許文献１】特開２０１２−２２５８９号公報
【発明の概要】
【発明が解決しようとする課題】
【０００４】
しかしながら、上述の手法では、例えば、ユーザの視線に基づいて、１つのメニュー画面に商品一覧を表示するが、別のメニュー画面を表示する場合にユーザの視線に基づいて好適なメニュー画面を提供することは困難である。
【０００５】
一つの側面では、本発明は、好適なメニュー画面を提供できる画像表示装置、表示制御方法および表示制御プログラムを提供することにある。
【課題を解決するための手段】
【０００６】
一つの態様では、画像表示装置は、受付部と決定部と切替部とを有する。受付部は、表示部に表示された、商品に関する画像を含む第１のメニュー画面に対してユーザから操作を受け付ける。決定部は、前記第１のメニュー画面に対するユーザの視線および操作に基づき、第２のメニュー画面の表示内容を決定する。切替部は、前記表示部の表示内容を、前記表示内容が決定された前記第２のメニュー画面に切り替える。
【発明の効果】
【０００７】
好適なメニュー画面を提供できる。
【図面の簡単な説明】
【０００８】
【図１】図１は、実施例１の画像表示装置の構成の一例を示すブロック図である。
【図２】図２は、視線検出の一例を示す図である。
【図３】図３は、商品ＤＢの一例を示す図である。
【図４】図４は、第１のメニュー画面に対するユーザ動作の一例を示す図である。
【図５】図５は、第２のメニュー画面の一例を示す図である。
【図６】図６は、実施例１の画像表示処理の一例を示すフローチャートである。
【図７】図７は、実施例２の画像表示装置の構成の一例を示すブロック図である。
【図８】図８は、メニュー画面に対するユーザ動作の一例を示す図である。
【図９】図９は、メニュー画面に対するユーザ動作の他の一例を示す図である。
【図１０】図１０は、詳細画面に対するユーザ動作の一例を示す図である。
【図１１】図１１は、メニュー画面の一例を示す図である。
【図１２】図１２は、実施例２の画像表示処理の一例を示すフローチャートである。
【図１３】図１３は、表示制御プログラムを実行するコンピュータの一例を示す図である。
【発明を実施するための形態】
【０００９】
以下、図面に基づいて、本願の開示する画像表示装置、表示制御方法および表示制御プログラムの実施例を詳細に説明する。なお、本実施例により、開示技術が限定されるものではない。また、以下の実施例は、矛盾しない範囲で適宜組みあわせてもよい。
【実施例１】
【００１０】
図１は、実施例１の画像表示装置の構成の一例を示すブロック図である。図１に示す画像表示装置１００は、表示部に表示された、商品に関する画像を含む第１のメニュー画面に対してユーザから操作を受け付ける。画像表示装置１００は、第１のメニュー画面に対するユーザの視線および操作に基づき、第２のメニュー画面の表示内容を決定する。画像表示装置１００は、表示部の表示内容を、表示内容が決定された第２のメニュー画面に切り替える。これにより、画像表示装置１００は、好適なメニュー画面を提供できる。
【００１１】
図１に示す画像表示装置１００は、視線検出部１１１と、表示部１１２と、受付部１１３と、商品データベース（商品ＤＢ）１２０と、制御部１３０と、を有する。なお、画像表示装置１００は、図１に示す機能部以外にも既知のコンピュータが有する各種の機能部、例えば各種の通信デバイスや音声出力デバイス等の機能部を有することとしてもかまわない。画像表示装置１００の一例としては、飲食店で食券を販売する券売機を採用できる。画像表示装置１００には、上記の券売機のみならず、切符の券売機や自動販売機、コンビニエンスストアの店舗内に設置されるマルチメディア端末等の店舗設置型の端末を採用することもできる。また、画像表示装置１００は、上記の店舗設置型の端末の他にもパーソナルコンピュータやタブレット端末、スマートフォン等のネットワークに接続しショッピングを行える端末等を採用することもできる。
【００１２】
視線検出部１１１は、例えば、ユーザを撮像した撮像画像に基づいてユーザの視線を検出する。撮像画像は、例えば、赤外線ＬＥＤ（Light  Emitting  Diode）から赤外線を照射されたユーザの上半身を赤外線カメラで撮像した画像である。なお、視線検出部１１１は、図示しない赤外線カメラから撮像画像を取得するようにしてもよく、視線検出部１１１が図示しない赤外線ＬＥＤおよび赤外線カメラを有するようにしてもよい。また、撮像画像は、赤外線カメラで撮像された画像でなくてもよく、例えば、可視光カメラで撮像された画像であってもよい。
【００１３】
また、視線検出部１１１は、視線に代えて用いることができる他の情報を視線として検出してもよい。例えば、ユーザを撮像した撮像画像に基づいてユーザの顔向きを判別し、顔の正面方向を視線方向として検出してもよい。また、ユーザを撮像した撮像画像に基づいてユーザの体の向きを判別し、胴体の前側正面方向を視線方向として検出してもよい。また、ユーザの顔表面までの距離、すなわち奥行情報を測定可能な装置を用いて計測される、ユーザの顔の立体的な位置情報を用いて、ユーザの顔向きを判別し、顔の正面方向を視線方向として検出してもよい。
【００１４】
視線検出部１１１は、所定間隔で撮像される撮像画像から、例えば赤外線がユーザの角膜上で反射した位置（角膜反射）およびユーザの瞳孔の位置を検出する。視線検出部１１１は、角膜反射と瞳孔の位置に基づいて、ユーザの視線を検出する。視線検出部１１１は、検出した視線を決定部１４０に出力する。図２は、視線検出の一例を示す図である。図２に示すように、視線検出部１１１は、時刻ｔ１において視線位置（Ｘ１、Ｙ１）を検出する。
【００１５】
時刻ｔ１から時刻ｔ２までの間にユーザの視線が移動した場合、視線検出部１１１は、時刻ｔ２において、視線位置（Ｘ１、Ｙ１）から視線が移動した距離だけ離れた視線位置（Ｘ２、Ｙ２）を検出する。この場合、視線位置（Ｘ１、Ｙ１）、（Ｘ２、Ｙ２）を結ぶ線分が、ユーザの視線が移動した軌跡となる。また、時刻ｔ２から時刻ｔ３までの間にユーザの視線が移動せず停留した場合、視線検出部１１１は、時刻ｔ３において、時刻ｔ２とおなじ視線位置（Ｘ２、Ｙ２）を検出する。ここで、停留の判定は、例えば、所定時間内に複数回同じ位置で視線を検出した場合や、所定回数以上連続して同じ位置で視線を検出した場合、停留していると判断することができる。この場合、視線位置（Ｘ２、Ｙ２）は、視線の停留位置となる。なお、視線が停留した場合に検出する視線位置は、前の時刻と同じ視線位置でなくてもよく、前の時刻における視線位置までの距離が所定距離以下であってもよい。この場合、例えば、複数の視線位置の重心を停留位置としてもよい。なお、視線位置は、例えば、表示部１１２に表示する画面を含むＸＹ座標平面上の位置である。視線検出部１１１は、例えば、時刻と視線位置とを対応付けて制御部１３０に出力する。
【００１６】
図１の説明に戻って、表示部１１２は、各種情報を表示するための表示デバイスである。表示部１１２は、例えば、表示デバイスとして液晶ディスプレイ等によって実現される。表示部１１２は、制御部１３０から入力された第１、第２のメニュー画面等の各種画面を表示する。ここで、第１、第２のメニュー画面は、画像表示装置１００が設置される店舗で提供される商品を表示するメニュー画面である。第１のメニュー画面は、例えば、ユーザが画像表示装置１００の前に立ったときに最初に表示するメニュー画面である。第２のメニュー画面は、第１のメニュー画面の次に表示するメニュー画面である。
【００１７】
受付部１１３は、ユーザからの各種操作を受け付ける入力デバイスである。受付部１１３は、例えば、入力デバイスとして、タッチパネル等によって実現される。この場合、表示部１１２の表示デバイスと、受付部１１３の入力デバイスとは、一体化されるようにしてもよい。また、受付部１１３は、例えば、入力デバイスとして、ボタンやキーボード、マウス等によって実現されるようにしてもよい。また、例えば、ジェスチャ認識装置や音声認識装置によって実現されるようにしてもよい。受付部１１３は、例えば、表示部１１２に第１のメニュー画面が表示されている場合に、第２のメニュー画面への遷移操作を受け付ける。また、受付部１１３は、例えば、第１のメニュー画面に含まれる商品の購入等の商品を選択する選択操作を受け付ける。受付部１１３は、ユーザによって入力された操作を制御部１３０に出力する。
【００１８】
商品ＤＢ１２０は、画像表示装置１００が設置される店舗で提供される商品を管理するデータベースである。商品ＤＢ１２０は、商品の特徴を商品ごとに記憶する。図３は、商品ＤＢの一例を示す図である。図３に示すように、商品ＤＢ１２０は、「商品名」、「値段」といった項目を有する。
【００１９】
商品ＤＢ１２０は、商品の値段や原材料、割引クーポンの有無、商品の販売時期等の商品の特徴を示す情報を商品Ａ、Ｂ・・・ごとに記憶する。図３では、商品ＤＢ１２０は、例えば、商品名「商品Ａ」、値段「１２００円」、原材料「牛乳、バター」・・・のように、商品の項目ごとに特徴を記憶する。なお、商品ＤＢ１２０が記憶する商品の特徴は、図３に示す例に限られない。例えば、商品ＤＢ１２０が、商品のジャンルや、商品の色や、新製品か否かを示す情報を特徴として記憶するようにしてもよい。
【００２０】
図１の説明に戻って、制御部１３０は、例えば、ＣＰＵ（Central  Processing  Unit）やＭＰＵ（Micro  Processing  Unit）等によって、内部の記憶装置に記憶されているプログラムがＲＡＭを作業領域として実行されることにより実現される。また、制御部１３０は、例えば、ＡＳＩＣ（Application  Specific  Integrated  Circuit）やＦＰＧＡ（Field  Programmable  Gate  Array）等の集積回路により実現されるようにしてもよい。制御部１３０は、決定部１４０と、切替部１５０とを有し、以下に説明する情報処理の機能や作用を実現または実行する。なお、制御部１３０の内部構成は、図１に示した構成に限られず、後述する情報処理を行う構成であれば他の構成であってもよい。
【００２１】
決定部１４０は、視線検出部１１１の検出結果に基づいて表示部１１２に表示する表示内容を決定する。決定部１４０は、特定部１４１と、抽出部１４２と、商品決定部１４３とを有する。
【００２２】
特定部１４１は、表示部１１２に第１のメニュー画面が表示されている場合に、視線検出部１１１からユーザの視線位置が入力されると、入力された視線位置に基づいてユーザの視線が停留した商品を特定する。ここで、第１のメニュー画面は、例えば、店舗で販売される商品の一覧が表示される画面であって、ユーザが画像表示装置１００の表示部１１２の前に立つことで、視線検出部１１１がユーザの視線を検出した場合に、表示部１１２に表示される画面である。
【００２３】
図４は、第１のメニュー画面に対するユーザ動作の一例を示す図である。なお、図４も含め以後の各メニュー画面の例には、商品の画像が表示されている例を示しているが、表示対象をこれに限る必要はない。例えば、表示対象は、商品の静止画だけでなく、アニメーションのある画像や映像であってもよい。なお、商品および商品に対応する画像は、その数が限定されず、それぞれ１つ以上の場合であってもよい。
【００２４】
図４に示すように、第１のメニュー画面１０は、例えば、複数の商品Ａ〜Ｆに関する複数の画像１１Ａ〜１１Ｆを含む。画像１１Ａ〜１１Ｆは、対応する商品Ａ〜Ｆの特徴を含む。画像１１Ａ〜１１Ｆは、例えば、商品Ａ〜Ｆの商品名および値段を含む。なお、画像１１Ａ〜１１Ｆは、上記の商品名および値段のみならず、商品の外観を示す画像や原材料、商品のサイズ等、商品に関する情報を含むこともできる。また、第１のメニュー画面１０は、次のメニュー画面への遷移を受け付けるボタン１２を含む。
【００２５】
図４に示す直線は、視線が移動している場合の視線の軌跡を示している。また、丸は、視線が停留している場合の停留位置を示している。なお、丸の大きさは、視線の停留時間を示しており、丸の直径が大きいほど停留時間が長い。図４では、ユーザは、商品Ａから順に、商品Ｂ、商品Ｃ、商品Ｄ、商品Ｅ、商品Ｆと視線を停留しながら視線を移動させている。また、ユーザは、商品Ｆに視線を停留させた後、視線を購入ボタン１３Ａに移動させ、購入ボタン１３Ａをタッチすることで商品Ａを購入する。ユーザは、商品Ａを購入後、画面遷移操作を受け付けるボタン１２をタッチする。
【００２６】
特定部１４１は、視線が停留し、ユーザからの商品選択操作を受け付けなかった商品を特定する。特定部１４１は、例えば、ユーザが購入しなかった商品Ｂ〜Ｆのなかから、停留時間が最も長い商品Ｆを特定する。所定時間内に計測された視線の停留時間長の合計に基づいて商品を特定してもよい。なお、特定部１４１が特定する商品は、停留時間が最も長い商品Ｆに限られず、例えば、停留時間が指定時間以上である商品であってもよい。特定部１４１は、特定した商品Ｆを特定商品として抽出部１４２に出力する。
【００２７】
抽出部１４２は、特定部１４１が特定した特定商品Ｆの特徴を抽出する。抽出部１４２は、例えば、商品ＤＢ１２０を参照し、特定商品Ｆに関する特徴を抽出する。抽出部１４２は、抽出した特徴を商品決定部１４３に出力する。
【００２８】
抽出部１４２が抽出する特徴は、上記の特徴に限られない。抽出部１４２は、第１のメニュー画面１０に対する視線の停留位置、停留回数、停留時間および軌跡のような、視線変化状態から検出できる情報に基づいて特徴を抽出するようにしてもよい。抽出部１４２は、例えば、図４に示すように、商品名である「商品Ｆ」の停留時間が最も長い場合に、抽出部１４２は、例えば、商品名「商品Ｆ」に含まれるキーワードを特徴として抽出するようにしてもよい。
【００２９】
また、図４に示す例では、視線は、商品Ａ、Ｂ、Ｆの商品名および値段上で停留しているが、商品Ｃ〜Ｅの商品名には視線が停留しておらず、値段に視線が停留している。商品Ａ〜Ｆの値段に視線が停留していることから、ユーザは商品の値段に興味があることがわかる。特に、商品Ａ、Ｂ、Ｆは、値段だけでなく商品名にも視線が停留しているため、商品Ａ、Ｂ、Ｆに共通する特徴の一つである同程度の値段範囲の商品に興味を示していることがわかる。そこで、抽出部１４２は、商品Ａ、Ｂ、Ｆの値段「１２００円」、「１１００円」を特徴として抽出するようにしてもよい。
【００３０】
また、抽出部１４２は、例えば、停留位置が複数あるものの購入品として選択されなかった商品Ｂ、Ｆに共通する特徴を抽出するようにしてもよい。すなわち、ユーザが興味を持っているであろうことが推測される商品であるにもかかわらず、購入対象として選択されなかった商品に共通する特徴を抽出するようにしてもよい。また、抽出部１４２は、例えば、最終的に購入された商品Ａの特徴を除く特徴を抽出するようにしてもよい。なお、抽出部１４２が抽出する特徴は１つに限られない。抽出部１４２は、例えば、値段やサイズ等、複数の項目に関する複数の特徴を抽出するようにしてもよい。なお、画面上の各商品に対する視線の停留時間長がほぼ同等であった場合には、第２のメニュー画面として予め決められていた所定の商品を表示商品に決定してもよい。
【００３１】
図１の説明に戻って、商品決定部１４３は、抽出部１４２が抽出した特徴に基づいて、第２のメニュー画面に表示する表示商品を決定する。商品決定部１４３は、例えば、抽出部１４２が抽出したキーワードを含む商品を商品ＤＢ１２０に問い合わせる。なお、抽出部１４２は、抽出した特徴を含む範囲の商品を商品ＤＢ１２０に問い合わせるようにしてもよい。抽出部１４２が特徴として値段「１２００円」を抽出した場合、商品決定部１４３は、例えば値段「１２００円」以下の商品を商品ＤＢ１２０に問い合わせるようにしてもよい。
【００３２】
商品決定部１４３は、商品ＤＢ１２０から問い合わせた特徴を有する商品に関する情報を受け取る。商品決定部１４３は、例えば、商品ＤＢ１２０に抽出したキーワードを含む商品を問い合わせた場合、商品ＤＢ１２０から商品Ｇに関する情報を受け取る。商品決定部１４３は、受け取った商品Ｇを表示商品に決定する。図４に示すように、ユーザは、特定商品Ｆを購入していないが、最も長く視線を停留させている。したがって、ユーザは、特定商品Ｆそのものは購入するつもりがない、もしくは商品Ａと迷った末に商品Ｆを購入対象として選択しなかったが、特定商品Ｆの特徴には興味があると考えられる。そこで、商品決定部１４３は、抽出部１４２が抽出した特定商品Ｆの特徴を含む商品Ｇを表示商品に決定する。
【００３３】
なお、商品決定部１４３は、例えば、商品ＤＢ１２０から受け取った商品数が、第２のメニュー画面に表示可能な商品数より多い場合には、特定商品の特徴により近い特徴を有する商品を表示商品に決定してもよい。また、商品決定部１４３は、受け取った商品に関する情報に基づき、当該商品の中から季節限定の商品や割引クーポンの利用が可能な商品等、店舗側が販売したい商品を表示商品に決定してもよい。なお、ここでは、商品決定部１４３は、第１のメニュー画面に含む商品とは異なる商品を表示商品に決定するものとする。
【００３４】
商品決定部１４３は、視線の動き以外の情報に基づいて表示商品を決定するようにしてもよい。商品決定部１４３は、例えば、抽出部１４２が抽出した特徴が含まれていない商品であっても、季節限定の商品や割引クーポンの利用が可能な商品等、店舗側が販売したい商品を表示商品に決定してもよい。
【００３５】
商品決定部１４３は、第２のメニュー画面に表示すると決定した商品の中から強調表示する商品を決定する。商品決定部１４３は、例えば、商品ＤＢ１２０から受け取った商品情報に基づき、季節限定の商品や割引クーポンの利用が可能な商品等、店舗側が販売したい商品を強調表示する商品に決定する。また、商品決定部１４３は、視線停留商品の特徴により近い特徴を有する商品を強調表示する商品に決定してもよい。商品決定部１４３は、例えば、特徴が視線停留商品の特徴により多く一致する商品を、強調表示する商品に決定する。商品決定部１４３は、表示商品および強調表示する商品に関する情報を切替部１５０に出力する。なお、商品決定部１４３は、第２のメニュー画面の表示対象とする商品を決定し、強調表示は行わないようにしてもよい。
【００３６】
商品決定部１４３は、例えば、第１のメニュー画面１０に表示する商品を決定するようにしてもよい。商品決定部１４３は、例えば、ユーザが表示部１１２の前に立つことで視線検出部１１１が当該ユーザの視線検出を開始した場合に、第１のメニュー画面１０に表示する商品を決定する。この場合、商品決定部１４３は、あらかじめ決められた商品を第１のメニュー画面１０に表示する商品に決定する。
【００３７】
図１の説明に戻って、切替部１５０は、表示部１１２に表示する画面を切り替える。図４に示す第１のメニュー画面１０が表示されている場合に、ユーザが次のメニュー画面への遷移操作を受け付けるボタン１２をタッチ操作すると、切替部１５０は、第１のメニュー画面１０から第２のメニュー画面に切り替える。図５は、第２のメニュー画面の一例を示す図である。図５に示すように、切替部１５０は、商品決定部１４３が決定した商品Ｇ〜Ｌに関する画像１１Ｇ〜１１Ｌを含む第２のメニュー画面２０を表示部１１２に表示する。また、第２のメニュー画面２０は、第１のメニュー画面への遷移を受け付ける「戻る」ボタンや、次のメニュー画面への遷移を受け付けるボタン１２を含んでよい。画面の遷移は、表示中の画面から別の画面へ表示を切り替える指示を受け付けられれば、どのような方法により操作指示を受け付けても構わない。例えば、図示のようなボタン形式でなく、タブにより表示対象とする画面が選択されるものであっても構わない。
【００３８】
切替部１５０は、商品決定部１４３が強調表示すると決定した商品を強調表示して表示部１１２に表示するようにしてもよい。切替部１５０は、例えば、商品Ｇに関する画像１１Ｇに枠を付けて表示することで、商品Ｇを強調表示する。なお、切替部１５０は、様々な強調表示の態様をとることができ、例えば、商品に関する画像のサイズや色を変えたり、画像を点滅表示させたり、商品に関する画像に付加情報を示す画像を重畳したりすることで、商品を強調表示することもできる。強調表示対象である商品が、画面上の他の商品と比較してユーザの注意を惹きやすくなるような表示の仕方であれば、どのような表示の仕方、表示の変化のさせ方を採用することもできる。
【００３９】
次に、実施例１の画像表示装置１００の動作について説明する。図６は、実施例１の画像表示処理の一例を示すフローチャートである。
【００４０】
視線検出部１１１は、画像表示装置１００の前にユーザが立つと、ユーザの視線検出を開始する（ステップＳ１）。切替部１５０は、視線検出部１１１が視線検出を開始すると、第１のメニュー画面１０を表示部１１２に表示する（ステップＳ２）。視線検出部１１１は、第１のメニュー画面１０に対するユーザの視線位置を検出する（ステップＳ３）。視線検出部１１１は、検出した視線位置を決定部１４０に出力する。
【００４１】
切替部１５０は、受付部１１３から入力される操作情報に基づいて、ユーザにより購入対象とする商品が選択されたか否かを判定する（ステップＳ４）。切替部１５０は、商品が選択されていない場合には（ステップＳ４：否定）、視線位置の検出を継続する旨の指示を視線検出部１１１に出力し、ステップＳ３に戻る。切替部１５０は、商品が選択された場合には（ステップＳ４：肯定）、決定部１４０に対して特定指示を出力する。決定部１４０の特定部１４１は、特定指示が入力されると、視線検出部１１１が検出した視線位置に基づいて、購入対象として選択されていない商品のなかから視線が停留した商品を特定する（ステップＳ５）。切替部１５０は、表示部１１２が第１のメニュー画面１０を表示している間に、受付部１１３が次のメニュー画面への遷移操作を受け付けたか判定する（ステップＳ６）。切替部１５０は、受付部１１３が遷移操作を受け付けていない場合には（ステップＳ６：否定）、ユーザによる操作の受付を待機し、ステップＳ３に戻る。切替部１５０は、受付部１１３が遷移操作を受け付けた場合には（ステップＳ６：肯定）、第２のメニュー画面２０に表示する商品を決定部１４０に問い合わせる。
【００４２】
決定部１４０の抽出部１４２は、特定部１４１が特定した商品の特徴を抽出する（ステップＳ７）。抽出部１４２は、抽出した特徴を商品決定部１４３に出力する。
【００４３】
商品決定部１４３は、抽出部１４２が抽出した特徴に基づいて第２のメニュー画面２０に表示する商品を決定する（ステップＳ８）。商品決定部１４３は、抽出部１４２が抽出した特徴を含む商品に関する情報を商品ＤＢ１２０から取得する。商品決定部１４３は、取得した商品に関する情報に基づいて第２のメニュー画面２０に表示する商品を決定する。商品決定部１４３は、決定した商品に関する情報を切替部１５０に出力する。切替部１５０は、商品決定部１４３が決定した商品に関する画像を含む第２のメニュー画面２０を表示部１１２に表示する（ステップＳ９）。これにより、画像表示装置１００は、好適なメニュー画面を提供できる。
【００４４】
このように、画像表示装置１００は、表示部１１２に表示された、商品に関する画像を含む第１のメニュー画面に対してユーザから操作を受け付ける。また、画像表示装置１００は、第１のメニュー画面に対するユーザの視線および操作に基づき、第２のメニュー画面の表示内容を決定する。また、画像表示装置１００は、表示部１１２の表示内容を、表示内容が決定された第２のメニュー画面に切り替える。その結果、好適なメニュー画面を提供できる。
【００４５】
また、画像表示装置１００は、視線が停留し、ユーザからの商品選択操作を受け付けなかった商品を特定する。また、画像表示装置１００は、特定した商品の特徴を抽出する。また、画像表示装置１００は、抽出した特徴に基づき、商品を決定する。また、画像表示装置１００は、決定した商品に関する画像を含む第２のメニュー画面に切り替える。その結果、好適なメニュー画面を提供できる。
【００４６】
また、画像表示装置１００は、視線の停留位置、停留時間および軌跡の少なくとも１つに基づいて商品を決定する。その結果、特徴に応じたメニュー画面を提供できる。上述のように画像表示装置１００によれば、好適なメニュー画面を提供できる。これにより、例えば、第１のメニュー画面内でユーザが興味を持ったものの選択しなかった商品と関連のある他商品を第２のメニュー画面の表示に含めることができる。そのため、第２のメニュー画面の表示内容をよりユーザが興味を持つであろう内容にでき、商品Ｇも購入する行動を見込めるようになる。
【実施例２】
【００４７】
上記実施例１では、第１のメニュー画面１０に対するユーザの動きに基づいて第２のメニュー画面２０の表示内容を決定したが、商品の詳細画面に対するユーザの動きに基づいてメニュー画面の表示内容を決定してもよい。この場合の実施の形態につき、実施例２として説明する。図７は、実施例２の画像表示装置の構成の一例を示すブロック図である。なお、実施例１の画像表示装置１００と同一の構成には同一符号を付すことで、その重複する構成および動作の説明については省略する。
【００４８】
実施例２の画像表示装置２００は、実施例１の画像表示装置１００の制御部１３０に代えて、制御部２３０を有する。制御部２３０は、決定部２４０と切替部２５０とを有する。
【００４９】
切替部２５０は、受付部１１３が、商品の詳細情報を示す詳細画面への遷移操作を受け付けた場合に、メニュー画面を詳細画面に切り替える。図８は、メニュー画面に対するユーザ動作の一例を示す図である。図８に示すように、メニュー画面３０は、商品Ａ〜Ｆに関する画像１１Ａ〜１１Ｆを含む。画像１１Ａ〜１１Ｆには、値段等の商品の特徴に加え、各商品の詳細画面に遷移する遷移操作を受け付ける詳細ボタンが含まれる。なお、図８の例では、簡略的に、商品画像の中に「詳細」ボタンが表示されている例を示しているが、当然ながら、例えば、購入対象としての選択を受け付ける「購入」ボタンが商品画像の中に含まれてもよい。ユーザは、当該詳細ボタンをタッチすることで、商品を選択する。切替部２５０は、ユーザが商品Ａに含まれる詳細ボタンをタッチすると、表示部１１２に表示する画面を、メニュー画面３０から、当該詳細ボタンに対応する商品Ａに関する詳細画面に切り替える。
【００５０】
また、切替部２５０は、受付部１１３が、詳細画面からメニュー画面への遷移操作を受け付けた場合に、詳細画面をメニュー画面に切り替える。この場合、切替部２５０は、決定部２４０が決定した表示内容のメニュー画面を表示部１１２に表示する。
【００５１】
図７の説明に戻って、決定部２４０は、メニュー画面および詳細画面に対するユーザの視線に基づき、メニュー画面の表示内容を決定する。決定部２４０は、特定部２４１と、抽出部２４２と、商品決定部２４３とを有する。
【００５２】
特定部２４１は、例えば、メニュー画面に対するユーザの視線に基づき、ユーザが選択せず、かつ、視線が停留した商品を特定する。図９は、メニュー画面に対するユーザ動作の他の一例を示す図である。図９では、ユーザは、商品Ａ〜Ｃ、Ｆ〜Ｄの順に画面左上側から時計回りで停留しながら視線を移動させている。また、ユーザは、商品Ｄに視線を停留させた後、視線を商品Ａの詳細ボタンに移動させ、商品Ａの詳細ボタンをタッチする。
【００５３】
特定部２４１は、視線が停留し、ユーザからの商品選択操作を受け付けなかった商品を特定する。特定部２４１は、例えば、ユーザが詳細ボタンをタッチしなかった商品Ｂ〜Ｆのなかから、停留時間が最も長い商品Ｆを特定する。なお、特定部２４１が特定する商品は、実施例１と同様に、停留時間が最も長い商品Ｆに限られず、例えば、停留時間が指定時間以上である商品であってもよい。特定部２４１は、特定した商品Ｆを特定商品として抽出部２４２に出力する。
【００５４】
図７の説明に戻って、抽出部２４２は、商品の詳細情報を含む詳細画面に対するユーザの視線に基づき、商品の特徴を抽出する。図１０は、詳細画面に対するユーザ動作の一例を示す図である。図１０に示すように、詳細画面４０は、例えば、商品名である「商品Ａ」や商品Ａに含まれるアレルギー物質の情報等を示す画像３１を含む。また、詳細画面４０は、メニュー画面への遷移操作を受け付ける戻るボタン３２と、商品Ａの購入操作を受け付ける購入ボタン３３とを含む。なお、詳細画面は、第１メニュー画面の上にオーバーレイして表示してもよいし、第１メニュー画面とは別の画面として画面を遷移させて表示してもよい。また、図１０の例では、詳細画面４０内に購入ボタン３３が含まれているが、詳細画面内には購入ボタン３３を含めずに、遷移元の第１メニュー画面の商品画像内に設けられた購入ボタンにより購入対象商品の選択を受け付けるようにしてもよい。図１０では、ユーザは、詳細画面４０に含まれる商品名からアレルギー情報まで順に視線を停留させながら移動させている。その後、ユーザは、アレルギー物質である「牛乳」に視線を停留させ、戻るボタン３２をタッチしている。この場合、抽出部２４２は、例えば、戻るボタン３２をタッチする直前の停留位置に基づいて商品Ａの特徴を抽出する。図１０では、「アレルギー物質：牛乳」を特徴として抽出する。抽出部２４２は、抽出した特徴を商品決定部２４３に出力する。
【００５５】
また、抽出部２４２は、特定部２４１が特定した特定商品Ｆの特徴を抽出する。抽出部２４２は、例えば、商品ＤＢ１２０を参照し、特定商品Ｆに関する特徴を抽出する。抽出部２４２は、抽出した特徴を商品決定部２４３に出力する。なお、抽出部２４２が抽出する特徴は、これに限られない。抽出部２４２は、図１に示す抽出部１４２と同様にして特定商品Ｆの特徴を抽出するようにしてもよい。
【００５６】
図７の説明に戻って、商品決定部２４３は、抽出部２４２が抽出した特徴に基づいてメニュー画面に表示する表示商品を決定する。商品決定部２４３は、例えば、商品ＤＢ１２０を参照し、詳細画面４０対する視線に基づいて抽出した特徴が含まれない商品を表示商品に決定する。図１０において、商品Ａの詳細画面４０を表示している状態で、ユーザが商品Ａを購入せずに戻るボタン３２をタッチしている。この場合、ユーザは、戻るボタン３２をタッチする直前に見ていた特徴が含まれることを理由として商品Ａの購入を中止し、メニュー画面に戻っていると考えられる。すなわち、ユーザは、戻るボタン３２をタッチする直前に注目した特徴が含まれていない商品には興味を持つと考えられる。そこで、商品決定部２４３は、商品ＤＢ１２０を参照し、抽出部２４２が抽出した「牛乳」という特徴を含まない商品をメニュー画面の表示商品に決定する。図１１は、メニュー画面の一例を示す図である。図１１に示すように、商品決定部２４３は、「牛乳」という特徴を含まない商品Ｂ、Ｃ、Ｇ、Ｊ〜Ｌを表示商品に決定する。商品決定部２４３は、決定した表示商品Ｂ、Ｃ、Ｇ、Ｊ〜Ｌを切替部２５０に出力する。切替部２５０は、商品決定部２４３から表示商品Ｂ、Ｃ、Ｇ、Ｊ〜Ｌが入力されると、表示商品Ｂ、Ｃ、Ｇ、Ｊ〜Ｌに関する画像１１Ｂ、１１Ｃ、１１Ｇ、１１Ｊ〜１１Ｌを含むメニュー画面５０を表示部１１２に表示する。
【００５７】
また、商品決定部２４３は、例えば、抽出部２４２がメニュー画面３０に対する視線に基づいて抽出した特徴を含む商品を表示商品に決定してもよい。この場合、商品決定部２４３は、例えば、商品ＤＢ１２０を参照し、詳細画面４０に基づいて抽出した特徴を含まず、メニュー画面３０に基づいて抽出した特徴を含む商品を表示商品に決定する。
【００５８】
なお、商品決定部２４３は、視線の動き以外の情報に基づいて表示商品を決定するようにしてもよい。商品決定部２４３は、例えば、抽出部２４２が抽出した特徴が含まれていない商品であっても、季節限定の商品や割引クーポンの利用が可能な商品等、店舗側が販売したい商品を表示商品に決定してもよい。
【００５９】
また、商品決定部２４３は、例えば、メニュー画面３０に含まれる商品であって、詳細画面４０に基づいて抽出した特徴を含む商品を表示商品から削除したり、他の商品と比べて目立たなくする非強調表示とするようにしてもよい。非強調表示としては、例えば、他の商品画像はカラーであるのに対し非強調表示の商品画像はモノクロにしたり、もしくは明度を落としたりすることが一例として挙げられる。この場合、商品決定部２４３は、図９に示す商品Ａ〜Ｆから「牛乳」を含まない商品Ｂ〜Ｅを表示商品に決定する。また、商品決定部２４３は、例えば、商品ＤＢ１２０を参照し、表示商品から外した商品Ａ、Ｆの代わりの表示商品を選択する。商品決定部２４３は、商品Ａ、Ｆの代わりの表示商品として、詳細画面４０に基づいて抽出した特徴を含まず、メニュー画面３０に基づいて抽出した特徴を含む商品を表示商品に決定する。
【００６０】
次に、実施例２の画像表示装置２００の動作について説明する。図１２は、実施例２の画像表示処理の一例を示すフローチャートである。以下の説明では、ステップＳ１、Ｓ３の処理は、実施例１と同様であるので、その説明を省略する。
【００６１】
画像表示装置２００は、ステップＳ１の処理に続いて、次の処理を実行する。切替部２５０は、メニュー画面を表示部１１２に表示する（ステップＳ２１）。ステップＳ３で視線検出を行った後に、特定部２４１は、メニュー画面に対する視線に基づいて、視線が停留した商品を特定する（ステップＳ２２）。切替部２５０は、ユーザが商品の詳細画面への遷移操作を受け付けたか否かを判定する（ステップＳ２３）。切替部２５０は、遷移操作を受け付けていない場合には（ステップＳ２３：否定）、視線位置の検出を継続する旨の指示を視線検出部１１１に出力し、ステップＳ３に戻る。切替部２５０は、遷移操作を受け付けた場合には（ステップＳ２３：肯定）、詳細画面を表示部１１２に表示する（ステップＳ２４）。視線検出部１１１は、詳細画面に対するユーザの視線を検出する（ステップＳ２５）。
【００６２】
切替部２５０は、受付部１１３から入力される操作情報に基づいて、ユーザにより購入対象とする商品が選択されたか否かを判定する（ステップＳ２６）。切替部２５０は、商品が選択された場合には（ステップＳ２６：肯定）、処理を終了する。切替部２５０は、商品が選択されていない場合には（ステップＳ２６：否定）、受付部１１３においてメニュー画面への遷移操作を受け付けたか否かを判定する（ステップＳ２７）。切替部２５０は、遷移操作を受け付けていない場合には（ステップＳ２７：否定）、視線位置の検出を継続する旨の指示を視線検出部１１１に出力し、ステップＳ２５に戻る。切替部２５０は、遷移操作を受け付けた場合には（ステップＳ２７：肯定）、抽出部２４２に特徴抽出指示を出力する。抽出部２４２は、特徴抽出指示が入力されると、詳細画面に対するユーザの視線に基づいて特徴を抽出して、ステップＳ２２で特定した商品の特徴を抽出する（ステップＳ２８）。
【００６３】
商品決定部２４３は、抽出部２４２が抽出した特徴に基づき、メニュー画面に表示する表示商品を決定する（ステップＳ２９）。切替部２５０は、商品決定部２４３が決定した商品を示す画像を含むメニュー画面を表示部１１２に表示する（ステップＳ３０）。これにより、画像表示装置２００は、好適なメニュー画面を提供できる。
【００６４】
このように、画像表示装置２００は、商品の詳細情報を含む詳細画面に対するユーザの視線に基づき、商品の特徴を抽出する。その結果、商品の詳細情報を反映したメニュー画面を提供できる。
【００６５】
また、画像表示装置２００は、抽出した特徴を含まない商品を決定する。その結果、ユーザが否定的な反応を示した情報を反映したメニュー画面を提供できる。
【００６６】
なお、上記各実施例では、第１のメニュー画面１０またはメニュー画面３０に表示される商品画像に対するユーザの視線に基づいて第２のメニュー画面２０またはメニュー画面５０に表示する商品を決定したが、これに限定されない。例えば、表示部１１２の周囲におすすめ商品等の広告が掲載されている場合に、当該広告に対する視線に基づいて第２のメニュー画面２０またはメニュー画面５０に表示する商品を決定するようにしてもよい。すなわち、特定部１４１、２４１は、第１のメニュー画像１０またはメニュー画面３０に表示される複数の商品、または広告に掲載される商品のうち、視線が停留した商品を特定するようにしてもよい。なお、広告は、必ずしも表示部１１２の周囲に掲載される必要はない。ユーザの視線が向きやすく、また、ユーザの視線を検出できる範囲に掲載されていればよい。すなわち、広告は、例えば、幟やポスター等の画像表示装置１００、２００の周囲に掲載されていてもよい。
【００６７】
このように、画像表示装置１００、２００は、第１のメニュー画面１０またはメニュー画面３０に表示される商品、および、表示部１１２の周囲に表示される商品の中から視線が停留した商品を特定する。また、画像表示装置１００、２００は、視線が停留した商品に基づいて特徴を抽出する。その結果、好適なメニュー画面を提供できる。
【００６８】
なお、上記各実施例では、第１のメニュー画面１０またはメニュー画面３０に表示する商品は、あらかじめ決められた商品としたが、これに限定されない。例えば、ユーザが過去に購入した商品履歴や過去に抽出した特徴等に基づいて商品を決定するようにしてもよい。
【００６９】
このように、画像表示装置１００、２００は、視線検出部１１１が有するカメラを用いた画像認識処理を行うことでユーザを特定する。なお、ユーザの特定は、例えば、ユーザが所持するスマートフォン等の携帯端末にダウンロードされたアプリケーションと通信を行うことで実現することもできる。また、ユーザの特定は、例えば、ポイントカード等の店舗が発行するカードを読み取ることで実現することもできる。
【００７０】
また、画像表示装置１００、２００は、例えば、特定したユーザの過去の商品履歴を図示しない履歴ＤＢに問い合わせて取得する。また、画像表示装置１００、２００は、取得した商品履歴に含まれる商品の特徴を抽出する。また、画像表示装置１００、２００は、抽出した特徴に基づいて第１のメニュー画面１０またはメニュー画面３０に表示する商品を決定する。また、画像表示装置１００、２００は、決定した商品に関する画像を含む第１のメニュー画面１０またはメニュー画面３０を表示する。その結果、好適なメニュー画面を提供できる。
【００７１】
また、画像表示装置１００、２００は、特定したユーザに対して商品を表示する場合に、商品決定に用いた特徴履歴を取得し、取得した特徴履歴に基づいて第１のメニュー画面１０またはメニュー画面３０に表示する商品を決定する。その結果、好適なメニュー画面を提供できる。
【００７２】
なお、上記実施例２では、抽出部２４２は、特定部２４１が特定した商品の特徴および詳細画面４０に対する視線に基づいた特徴を抽出し、商品決定部２４３は、当該特徴に基づいてメニュー画面５０の表示内容を決定するとしたが、これに限定されない。例えば、抽出部２４２が詳細画面４０に対する視線に基づいた特徴を抽出するようにしてもよい。この場合、画像表示装置２００は、特定部２４１の機能を省略することもできる。
【００７３】
なお、上記各実施例では、第１のメニュー画面１０またはメニュー画面３０は、ユーザが画像表示装置１００、２００の前に立ったときに最初に表示する画面としたが、これに限定されない。例えば、ユーザからの遷移操作に応じて表示するメニュー画面であってもよい。また、この場合、画像表示装置１００、２００は、第１のメニュー画面１０またはメニュー画面３０へ遷移する前に表示したメニュー画面に対するユーザの視線に基づいて、第１のメニュー画面１０またはメニュー画面３０の表示内容を決定してもよい。
【００７４】
このように、画像表示装置１００、２００は、所定のメニュー画面から第１のメニュー画面１０またはメニュー画面３０に切り替える指示を受け付ける。また、画像表示装置１００、２００は、所定のメニュー画面に対するユーザの視線に基づき、第１のメニュー画面１０またはメニュー画面３０の表示内容を決定する。また、１００、２００は、所定のメニュー画面から、表示内容が決定された第１のメニュー画面１０またはメニュー画面３０に切り替える。その結果、好適なメニュー画面を提供できる。
【００７５】
また、画像表示装置１００、２００は、第２のメニュー画面２０またはメニュー画面５０の表示内容を、所定のメニュー画面および第１のメニュー画面１０またはメニュー画面３０に対するユーザの視線に基づいて決定する。その結果、好適なメニュー画面を提供できる。
【００７６】
また、上記の説明においては、各メニュー画面に、それぞれ商品についての画像を表示する例と挙げて説明したが、表示対象とする内容を商品に限る必要はない。例えば、本や記事のような文書の一覧を各メニュー画面の表示内容としてもよい。また、図示した各部の各構成要素は、必ずしも物理的に図示の如く構成されていることを要しない。すなわち、各部の分散・統合の具体的形態は図示のものに限られず、その全部または一部を、各種の負荷や使用状況等に応じて、任意の単位で機能的または物理的に分散・統合して構成することができる。例えば、特定部１４１と抽出部１４２とを統合してもよい。また、図示した各処理は、上記の順番に限定されるものではなく、処理内容を矛盾させない範囲において、同時に実施してもよく、順序を入れ替えて実施してもよい。
【００７７】
さらに、各装置で行われる各種処理機能は、ＣＰＵ（またはＭＰＵ、ＭＣＵ（Micro  Controller  Unit）等のマイクロ・コンピュータ）上で、その全部または任意の一部を実行するようにしてもよい。また、各種処理機能は、ＣＰＵ（またはＭＰＵ、ＭＣＵ等のマイクロ・コンピュータ）で解析実行されるプログラム上、またはワイヤードロジックによるハードウェア上で、その全部または任意の一部を実行するようにしてもよいことは言うまでもない。
【００７８】
ところで、上記の実施例で説明した各種の処理は、予め用意されたプログラムをコンピュータで実行することで実現できる。そこで、以下では、上記の実施例と同様の機能を有するプログラムを実行するコンピュータの一例を説明する。図１３は、表示制御プログラムを実行するコンピュータの一例を示す図である。
【００７９】
図１３に示すように、コンピュータ３００は、各種演算処理を実行するＣＰＵ３０１と、データ入力を受け付ける入力装置３０２と、モニタ３０３とを有する。また、コンピュータ３００は、記憶媒体からプログラム等を読み取る媒体読取装置３０４と、各種装置と接続するためのインタフェース装置３０５と、他の情報処理装置等と有線または無線により接続するための通信装置３０６とを有する。また、コンピュータ３００は、各種情報を一時記憶するＲＡＭ３０７と、ハードディスク装置３０８とを有する。また、各装置３０１〜３０８は、バス３０９に接続される。
【００８０】
ハードディスク装置３０８には、図１または図７に示した視線検出部１１１、決定部１４０または決定部２４０、および、切替部１５０または切替部２５０の各処理部と同様の機能を有する表示制御プログラムが記憶される。また、ハードディスク装置３０８には、商品ＤＢ１２０および表示制御プログラムを実現するための各種データが記憶される。入力装置３０２は、例えば、コンピュータ３００のユーザから操作情報等の各種情報の入力を受け付ける。モニタ３０３は、例えば、コンピュータ３００のユーザに対して出力画面等の各種画面を表示する。媒体読取装置３０４は、記憶媒体から各種データを読み取る。インタフェース装置３０５は、例えば印刷装置等が接続される。通信装置３０６は、例えば、図示しないネットワークと接続され、他の情報処理装置と各種情報をやりとりする。
【００８１】
ＣＰＵ３０１は、ハードディスク装置３０８に記憶された各プログラムを読み出して、ＲＡＭ３０７に展開して実行することで、各種の処理を行う。また、これらのプログラムは、コンピュータ３００を図１または図７に示した視線検出部１１１、決定部１４０または決定部２４０、および、切替部１５０または切替部２５０として機能させることができる。
【００８２】
なお、上記の表示制御プログラムは、必ずしもハードディスク装置３０８に記憶されている必要はない。例えば、コンピュータ３００が読み取り可能な記憶媒体に記憶されたプログラムを、コンピュータ３００が読み出して実行するようにしてもよい。コンピュータ３００が読み取り可能な記憶媒体は、例えば、ＣＤ−ＲＯＭやＤＶＤディスク、ＵＳＢメモリ等の可搬型記録媒体、フラッシュメモリ等の半導体メモリ、ハードディスクドライブ等が対応する。また、公衆回線、インターネット、ＬＡＮ等に接続された装置にこの表示制御プログラムを記憶させておき、コンピュータ３００がこれらから表示制御プログラムを読み出して実行するようにしてもよい。
【００８３】
以上、本実施例を含む実施の形態に関し、さらに以下の付記を開示する。
【００８４】
（付記１）表示部に表示された、商品に関する画像を含む第１のメニュー画面に対してユーザから操作を受け付ける受付部と、
前記第１のメニュー画面に対するユーザの視線および操作に基づき、第２のメニュー画面の表示内容を決定する決定部と、
前記表示部の表示内容を、前記表示内容が決定された前記第２のメニュー画面に切り替える切替部と
を有することを特徴とする画像表示装置。
【００８５】
（付記２）前記決定部は、
前記視線が停留し、前記ユーザからの商品選択操作を受け付けなかった商品を特定する特定部と、
前記特定部が特定した前記商品の特徴を抽出する抽出部と、
前記抽出部が抽出した前記特徴に基づき、商品を決定する商品決定部と、を有し、
前記切替部は、
前記商品決定部が決定した前記商品に関する画像を含む前記第２のメニュー画面に切り替える、
ことを特徴とする付記１に記載の画像表示装置。
【００８６】
（付記３）前記抽出部は、前記商品の詳細情報を含む詳細画面に対するユーザの視線に基づき、前記商品の特徴を抽出する、
ことを特徴とする付記２に記載の画像表示装置。
【００８７】
（付記４）前記商品決定部は、前記抽出部が抽出した前記特徴を含まない商品を決定する、
ことを特徴とする付記２または３に記載の画像表示装置。
【００８８】
（付記５）前記商品決定部は、前記視線の停留位置、停留時間および軌跡の少なくとも１つに基づいて前記商品を決定する、
ことを特徴とする付記２〜４のいずれか１つに記載の画像表示装置。
【００８９】
（付記６）表示部に表示された、商品に関する画像を含む第１のメニュー画面に対してユーザから操作を受け付け、
前記第１のメニュー画面に対するユーザの視線および操作に基づき、第２のメニュー画面の表示内容を決定し、
前記表示部の表示内容を、前記表示内容が決定された前記第２のメニュー画面に切り替える、
処理をコンピュータが実行することを特徴とする表示制御方法。
【００９０】
（付記７）前記視線が停留し、前記ユーザからの商品選択操作を受け付けなかった商品を特定し、
特定した前記商品の特徴を抽出し、
抽出した前記特徴に基づき、商品を決定し、
決定した前記商品に関する画像を含む前記第２のメニュー画面に切り替える、
ことを特徴とする付記６に記載の表示制御方法。
【００９１】
（付記８）前記商品の詳細情報を含む詳細画面に対するユーザの視線に基づき、前記商品の特徴を抽出する、
ことを特徴とする付記７に記載の表示制御方法。
【００９２】
（付記９）抽出した前記特徴を含まない商品を決定する、
ことを特徴とする付記７または８に記載の表示制御方法。
【００９３】
（付記１０）前記視線の停留位置、停留時間および軌跡の少なくとも１つに基づいて前記商品を決定する、
ことを特徴とする付記７〜９のいずれか１つに記載の表示制御方法。
【００９４】
（付記１１）表示部に表示された、商品に関する画像を含む第１のメニュー画面に対してユーザから操作を受け付け、
前記第１のメニュー画面に対するユーザの視線および操作に基づき、第２のメニュー画面の表示内容を決定し、
前記表示部の表示内容を、前記表示内容が決定された前記第２のメニュー画面に切り替える、
処理をコンピュータに実行させることを特徴とする表示制御プログラム。
【００９５】
（付記１２）前記視線が停留し、前記ユーザからの商品選択操作を受け付けなかった商品を特定し、
特定した前記商品の特徴を抽出し、
抽出した前記特徴に基づき、商品を決定し、
決定した前記商品に関する画像を含む前記第２のメニュー画面に切り替える、
ことを特徴とする付記１１に記載の表示制御プログラム。
【００９６】
（付記１３）前記商品の詳細情報を含む詳細画面に対するユーザの視線に基づき、前記商品の特徴を抽出する、
ことを特徴とする付記１２に記載の表示制御プログラム。
【００９７】
（付記１４）抽出した前記特徴を含まない商品を決定する、
ことを特徴とする付記１２または１３に記載の表示制御プログラム。
【００９８】
（付記１５）前記視線の停留位置、停留時間および軌跡の少なくとも１つに基づいて前記商品を決定する、
ことを特徴とする付記１２〜１４のいずれか１つに記載の表示制御プログラム。
【符号の説明】
【００９９】
１００、２００  画像表示装置
１１１  視線検出部
１１２  表示部
１１３  受付部
１２０  商品データベース
１３０、２３０  制御部
１４０、２４０  決定部
１４１、２４１  特定部
１４２、２４２  抽出部
１４３、２４３  商品決定部
１５０、２５０  切替部
【図１】
0006586904.tif 000002
【図２】
0006586904.tif 000003
【図３】
0006586904.tif 000004
【図４】
0006586904.tif 000005
【図５】
0006586904.tif 000006
【図６】
0006586904.tif 000007
【図７】
0006586904.tif 000008
【図８】
0006586904.tif 000009
【図９】
0006586904.tif 000010
【図１０】
0006586904.tif 000011
【図１１】
0006586904.tif 000012
【図１２】
0006586904.tif 000013
【図１３】
0006586904.tif 000014